(57)【要約】   【課題】  外装パネルを備える外壁本体に配管が取付けられる際に、外観が向上して品質性を高まる外壁配管取付構造を提供する。  【解決手段】  外壁配管取付構造１は、建築物の外壁本体２に設けられた外装パネル３を上下方向に二箇所で切断して、一対の外装パネル３の端部３ａと外壁本体２から成る溝部４を形成する。この溝部４に、断面矩形凹状で両側面５ａの先端部５ｂに第一の係止部Ｐ１を備える長尺のベース材５を挿入しベース材５の底面５ｃが外壁本体２に固定される。第一の係止部Ｐ１は両側面５ａに対して斜めに突出する。一対の外装パネル３を覆うカバー材７には一対の脚部７ａが設けられ、この脚部７ａの先端部７ｄに第二の係止部Ｐ２を備える。第二の係止部Ｐ２は脚部７ａに対して斜めに突出する。第一の係止部Ｐ１が第二の係止部Ｐ２に係止された状態でベース材５とカバー材７で形成される空間部８には、配管９等が収納される。【選択図】  図１
2008133605.tif 000002
【特許請求の範囲】
【請求項１】
建築物の外壁本体に設けられる一対の外装パネルの端部と外壁本体から成る溝部に、底面と両側面から成る断面矩形凹状の長尺のベース材が両側面の先端部に第一の係止部としての突起を備えて挿入されるとともに前記底面が外壁本体に固定され、
前記一対の外装パネルの端部を覆うカバー材が前記外装パネルと同じ表面パターンで形成され、このカバー材に設けられる一対の脚部の先端部に備える第二の係止部としての突起を介して前記第一の係止部に係止され、
前記ベース材とカバー材で形成される領域が配管等を収納する領域であることを特徴とする外壁配管取付構造。
【請求項２】
請求項１に記載の外壁配管取付構造であって、前記外装パネルを前記カバー材と前記ベース材で挟持するため、前記ベース材の両側面に前記底部と平行な受部が設けられることを特徴とする外壁配管取付構造。
【請求項３】
請求項２に記載の外壁配管取付構造であって、前記受部は前記ベース材の第一の係止部に連続して設けられることを特徴とする外壁配管取付構造。
【請求項４】
請求項２又は請求項３に記載の外壁配管取付構造であって、前記受部の先端部に支持材が設けられ、この支持材の自由端部が前記ベース材の底部の延長線上まで延設されることを特徴とする外壁配管取付構造。
【発明の詳細な説明】
【技術分野】
【０００１】
本発明は、外壁本体に設ける竪樋やエアコン等の配管を取付ける外壁配管取付構造に関し、特に、竪樋やエアコン等の配管を外装パネルから突出せずに安定して確実に固着できる外壁配管取付構造の技術に関する。
【背景技術】
【０００２】
従来、外壁本体に竪樋やエアコンの配管、配線等を設ける場合に、それらが外壁仕上げ面に固着されると外観が損なわれるという問題があった。
【０００３】
このような問題を解決する外壁配管取付構造として特許文献１の記載が知られている。特許文献１によれば、図７に示すように、外壁配管取付構造は、外壁Ｗに凸形のカバー体３１が縦向きに取付けられ、カバー体３１の内側に、竪樋３０とクーラーからの排水ホース３２が収容されて固定される。そして、竪樋３０の上端はカバー体３１の上端開口部から露出し、軒樋３３の途中の集水器３４に接続された呼び樋３５の下端に接続されている
これらの竪樋３０及び排水ホース３２の下端は、地面に埋設した集水桝３７に挿入され、集水桝３７から地中の排水管３８を通って排水されるようになっている。この外壁配管取付構造であれば、竪樋やエアコンの配管、配線等を隠すことができる。
【特許文献１】特開２００２−１４６９８３号公報
【発明の開示】
【発明が解決しようとする課題】
【０００４】
ところが、竪樋やエアコンの配管、配線等をカバーで覆って施工した場合でも、カバーそのものが大きく突出するので建築物の外観を改善することが困難であるという問題があった。
【０００５】
そこで、本発明は、竪樋やエアコン等の配管が外装パネルを備える外壁本体に取付けられる際に、外観が向上することで品質性を高めることのできる外壁配管取付構造を提供することを目的とする。
【課題を解決するための手段】
【０００６】
請求項１の発明は、建築物の外壁本体に設けられる一対の外装パネルの端部と外壁本体から成る溝部に、底面と両側面から成る断面矩形凹状の長尺のベース材が両側面の先端部に第一の係止部としての突起を備えて挿入されるとともに前記底面が外壁本体に固定され、前記一対の外装パネルの端部を覆うカバー材が前記外装パネルと同じ表面パターンで形成され、このカバー材に設けられる一対の脚部の先端部に備える第二の係止部としての突起を介して前記第一の係止部に係止され、前記ベース材とカバー材で形成される領域が配管等を収納する領域であることを特徴としている。
【０００７】
請求項２の発明は、請求項１に記載の外壁配管取付構造であって、前記外装パネルを前記カバー材と前記ベース材で挟持するため、前記ベース材の両側面に前記底部と平行な受部が設けられることを特徴としている。
【０００８】
請求項３の発明は、請求項２に記載の外壁配管取付構造であって、前記受部は前記ベース材の第一の係止部に連続して設けられることを特徴としている。
【０００９】
請求項４の発明は、請求項２又は請求項３に記載の外壁配管取付構造であって、前記受部の先端部に支持材が設けられ、この支持材の自由端部が前記ベース材の底部の延長線上まで延設されることを特徴としている。
【発明の効果】
【００１０】
請求項１の発明によれば、カバー材に設けられる一対の脚部の先端部に備える第二の係止部としての突起を介して前記第一の係止部に係止されて、前記ベース材とカバー材で形成される領域に配管等を収納された状態では、前記一対の外装パネルの端部を覆うカバー材が前記外装パネルと同じ表面パターンで形成されるので、外観が著しく向上し品質性を高めることができる。
【００１１】
請求項２の発明によれば、前記ベース材の両側面に設けられる前記底部と平行な受部によって、前記外装パネルを前記カバー材との間で挟持することができるので、前記外装パネルを安定して保持することができるとともに、前記外装パネルと一体的な構造となり前記ベース材とカバー材で形成される領域の形状補強としての効果が得られる。
【００１２】
請求項３の発明によれば、前記受部は前記ベース材の第一の係止部に連続して設けられるので、前記ベース材は薄板で一体的に連続して形成できるのでコストダウンが図れる。
【００１３】
請求項４の発明によれば、前記受部の先端部の支持材の自由端部が前記ベース材の底部の延長線上まで延設されて前記外壁本体に当接するので、請求項２の発明の効果と同様の効果が得られる。
【発明を実施するための最良の形態】
【００１４】
以下に、本発明の第１の実施形態を図１に基づいて説明する。
【００１５】
＜外壁配管取付構造の構成＞
図１に示すように、本発明の外壁配管取付構造１は、建築物の外壁本体２に胴縁２ａを介して設けられた一対の金属サイディングから成る上下方向の外装パネル３の端部３ａが二箇所Ｓ１、Ｓ２で離れて設けられ、一対の外装パネル３の端部３ａと外壁本体２から成る溝部４（幅Ｔ１、高さＨ１）を形成する。
【００１６】
この溝部４に、断面矩形凹状（溝部４と同じく、幅Ｔ１、高さＨ１）で両側面５ａの先端部５ｂに第一の係止部Ｐ１を備える長尺のベース材５を挿入してベース材５の底面５ｃが図示しないネジ等で外壁本体２に固定される。第一の係止部Ｐ１は両側面５ａに対して斜めに鋭角で突出する。
【００１７】
カバー材７は幅Ｔ２で、ベース材５の幅Ｔ１より広く且つ外装パネル３の端部３ａを覆って形成される。カバー材７は一枚板で形成され、表面部７ｂの両端部７ｃで折り曲げて表面部７ｂと平行に折返し、一対の脚部７ａに連結される。
【００１８】
一対の脚部７ａは高さＨ２で表面部７ｂと垂直に設けられ、この脚部７ａの先端部７ｄに第二の係止部Ｐ２を備える。第二の係止部Ｐ２は脚部７ａに対して斜めに鋭角で突出する。そして、脚部７ａの高さＨ２はベース材５の側面５ａの高さＨ１を基準として、第一の係止部Ｐ１と第二の係止部Ｐ２が安定して係止できるように設定される。
【００１９】
第一の係止部Ｐ１が第二の係止部Ｐ２に係止された状態でベース材５とカバー材７で形成される空間部８には、配管９等（雨水用の竪樋、エアコン用のパイプや付随する電線等）が収納される。
【００２０】
ここで、胴縁２ａと外装パネル３の間には外装パネル３の端部３ａを覆って保持するための捨て板２５が取付られる。
【００２１】
好ましくは、外装パネル３とカバー材７が当接する領域Ｑにはパッキン等の水密材を用いることにより、外装パネル３の端部３ａからの水の浸入を防止できる。
【００２２】
ベース材５とカバー材７は薄板鋼板による板金加工で一体形成されるので、低コストで容易に製作することができる。そして、カバー材７は薄板鋼板の表面に外装パネル３の表面と同じ被覆材として塩ビ樹脂等の特殊高分子樹脂が被覆され、外装パネル３の表面と同じ表面パターン（表面凹凸や表面模様を含む）で形成される。
【００２３】
＜外壁配管取付構造の作用＞
上記のように、カバー材７が外装パネル３と同じ表面パターンが用いられるので、カバー材７は外装パネル３に調和して違和感が生じないので外観に優れて品質性と商品価値が向上する、尚、カバー材７が外装パネル３と同じ表面パターンで且つ同材料であればさらに好ましく、経年変化にバラツキがなくなるので、長期に亘り違和感のない外観を保つことができる。
【００２４】
また、カバー材７は薄板鋼板に被覆材として塩ビ樹脂等の特殊高分子樹脂が被覆されるので、被覆材に弾力性があるため折り曲げ成形性に優れている。また、特殊高分子樹脂によって空気を遮断するので錆に強い構成に仕上げられる。
【００２５】
ベース材５とカバー材７が当接する領域Ｑにパッキン等の水密材を用いることにより、外装パネル３の端部３ａからの水の浸入を防止するので腐食の発生を抑えることができる。このため、外装パネル３の劣化が防止できるので防音性や保温性を保つことができる。
【００２６】
第一の係止部Ｐ１は両側面５ａに対して斜めに突出し、第二の係止部Ｐ２は脚部７ａに対して斜めに突出する。このため、一対の第二の係止部Ｐ２が第一の係止部Ｐ１に沿って移動する間は第一の係止部Ｐ１と第二の係止部Ｐ２は互いに弾性的に閉脚して挿入され、挿入後は第一の係止部Ｐ１と第二の係止部Ｐ２が自然状態に復帰して互いが確実に係止される。
【００２７】
＜本発明の第２の実施形態＞
本発明の第２の実施形態を図２を用いて説明するが、図１に示す外壁配管取付構造の構成と同構成部分については、図面に同符号を付して重複した説明を省略する。
【００２８】
図２に示すように、外壁配管取付構造１ａは、外装パネル３をカバー材７とベース材５間で挟持するため、ベース材５の第一の係止部Ｐ１に連続して受部１１が設けられる。なお、受部１１は、上記、捨て板２５の役割に相当するものである。
【００２９】
より詳しくは、第一の係止部Ｐ３は底面５ｃからＨ３の高さで先端部５ｂから側面５ａに直角に突出する。そして、受部１１は第一の係止部Ｐ１の先端部１１ａから側面５ａの延長線上より外側の位置１１ｂまで斜材Ｋ１で延設し、位置１１ｂから側面５ａに平行な板材Ｋ２を先端部５ｂの近傍の位置１１ｃまで延設される。さらに、位置１１ｃから底面５ｃに平行に受材Ｋ３が先端位置１１ｄまで延設され、先端位置１１ｄにおいて受材Ｋ３は斜材Ｋ１側に板材Ｋ４で折返される。なお、板材Ｋ４は受材Ｋ３の長さよりも短い。
【００３０】
このベース材５であれば、板材Ｋ２と受材Ｋ３によって外装パネル３の端部３ａの位置合わせが容易にできる。
【００３１】
また、先端位置１１ｄにおいて折返された板材Ｋ４は受材Ｋ３の長さよりも短いので、外装パネル３の端部３ａをカバー材７とベース材５間で挟持する際に受材Ｋ３全体で保持するのに比べて板材Ｋ４による保持の場合のほうが面圧が高くなるので、外装パネル３を安定して水密的に保持することができる。
【００３２】
このため、本発明の第１の実施形態と同様の効果を得ることができる。
【００３３】
＜本発明の第３の実施形態＞
本発明の第３の実施形態を図３を用いて説明するが、図１に示す外壁配管取付構造の構成と同構成部分については、図面に同符号を付して重複した説明を省略する。
【００３４】
図３に示すように、外壁配管取付構造１ｂは、外装パネル３をカバー材７とベース材５間で挟持するために、ベース材５の両側面５ａの位置５ｄに底面５ｃと平行に受部１２が設けられる。
【００３５】
ここで、カバー材７の表面部７ｂは一枚板で形成され表面部７ｂの両端部７ｃでは折返し加工がなく表面部７ｂに脚部７ａが取付けられる。なお、ベース材５とカバー材７は、薄板板金加工又は樹脂押出やアルミ押出による成形加工で形成される。
【００３６】
受部１２は、位置５ｄから底面５ｃに平行に受材Ｋ５が先端位置５ｅまで延設され、先端位置５ｅにおいて受材Ｋ５は第一の係止部Ｐ１側に板材Ｋ６で折返される。なお、板材Ｋ６は受材Ｋ５の長さよりも短い。
【００３７】
このため、本発明の第１の実施形態と同様の効果を得ることができる。
【００３８】
＜本発明の第４の実施形態＞
本発明の第４の実施形態を図４を用いて説明するが、図１に示す外壁配管取付構造の構成と同構成部分については、図面に同符号を付して重複した説明を省略する。
【００３９】
図４に示すように、外壁配管取付構造１ｃは、外装パネル３をカバー材７とベース材５間で挟持するため、ベース材５の両側面５ａの位置５ｄに底面５ｃと平行な受部１３が設けられる。
【００４０】
さらに、受部１３の先端部１３ａに支持材１４がベース材５の底面５ｃに対して直角に設けられ、この支持材１４の自由端部としての一端１４ａが底面５ｃの延長線上まで延設される。また、他端１４ｂは先端部１３ａより僅かに突出している。受部１３と支持材１４はベース材５に溶接固着される。
【００４１】
ここで、カバー材７の表面部７ｂは一枚板で形成され表面部７ｂに脚部７ａが取付けられる。なお、ベース材５とカバー材７は、薄板板金加工又は樹脂押出やアルミ押出による成形加工で形成される。
【００４２】
このため、本発明の第１の実施形態と同様の効果を得ることができる。
【００４３】
＜本発明の第５の実施形態＞
本発明の第５の実施形態を図５を用いて説明するが、図１に示す外壁配管取付構造の構成と同構成部分については、図面に同符号を付して重複した説明を省略する。
【００４４】
図５に示すように、外壁配管取付構造１ｄは、カバー材７が表面部７ｂの両端部７ｃに折返して形成される一対の溝状の脚部１５（内側壁１５ａ、外側壁１５ｂ、底部１５ｃ）を備える。外側壁１５ｂには表面部７ｂと同一面で外装パネル３を保持するための押部１６が先端部１６ａをベース材５側に折返す折返部１６ｂを備えて形成される。
【００４５】
ベース材５の側面５ａの位置５ｄから底面５ｃに平行に受部１７が延設され、受部１７の先端部１７ａにおいて突起１７ｂが底面５ｃから離れる方向に突出する。さらに、突起１７ｂは折返して側面５ａと平行に底面５ｃの延長線上の位置１７ｃまで至り、位置１７ｃから底面５ｃの延長線上で側面５ａから離れる方向に先端部１７ｄまで延設される。
【００４６】
ここで、溝状の一対の脚部１５の先端部としての底部１５ｃが第二の係止部Ｐ６に相当し、ベース材５の受部１７が第一の係止部Ｐ５に相当し、この第一の係止部Ｐ５と第二の係止部Ｐ６がビス等の固着具２０で固着される。
【００４７】
このため、本発明の第１の実施形態と同様の効果を得ることができる。
【００４８】
＜本発明の第６の実施形態＞
本発明の第６の実施形態を図６を用いて説明するが、図１に示す外壁配管取付構造の構成と同構成部分については、図面に同符号を付して重複した説明を省略する。
【００４９】
図６に示すように、外壁配管取付構造１ｅのカバー材７は一枚板で形成され、表面部７ｂの両端部７ｃで折り曲げて表面部７ｂと平行に折返し、一対の脚部７ａに連結される。このとき、両端部７ｃは幅Ｒの空間が形成される。
【００５０】
このように、表面部７ｂが外装パネル３の表面から突出して形成されるので、配管９等が外装パネル３の表面から突出する位置にある場合でも十分に収納することができ、本発明の第１の実施形態と同様の効果を得ることができる
以上、本発明の実施例を図面に基づいて説明したが、具体的な構成はこの実施例に限られるものではなく本発明の要旨を逸脱しない範囲の設計変更等があっても本発明に含まれる。
【００５１】
たとえば、本発明は新築だけでなく増改築の建築物にも用いることができる。
【００５２】
外装パネル３の種々の厚さにも対応できる。また、外装パネル３は上下、左右どちらの方向の場合であっても構わない。
【図面の簡単な説明】
【００５３】
【図１】本発明の第１の実施形態における、建築物の外壁本体に設けられベース材とカバー材で形成される空間部に配管が収納された状態の断面斜視図である。
【図２】本発明の第２の実施形態における、ベース材とカバー材で形成される空間部に配管が収納された状態の断面図である。
【図３】本発明の第３の実施形態における、ベース材とカバー材で形成される空間部に配管が収納された状態の断面図である。
【図４】本発明の第４の実施形態における、ベース材とカバー材で形成される空間部に配管が収納された状態の断面図である。
【図５】本発明の第５の実施形態における、ベース材とカバー材で形成される空間部に配管が収納された状態の断面図である。
【図６】本発明の第６の実施形態における、ベース材とカバー材で形成される空間部に配管が収納された状態の斜視図である。
【図７】従来の、建築物の外壁本体に設けられる配管の取付状態の側面図である。
【符号の説明】
【００５４】
１  外壁配管取付構造
２  外壁本体
３  外装パネル
３ａ  端部
４  溝部
５  ベース材
５ａ  側面
５ｂ  先端部
５ｃ  底部
７  カバー材
７ａ  脚部
７ｂ  先端部
８  空間部
９  配管
Ｐ１  第一の係止部
Ｐ２  第二の係止部
【図１】
2008133605.tif 000003
【図２】
2008133605.tif 000004
【図３】
2008133605.tif 000005
【図４】
2008133605.tif 000006
【図５】
2008133605.tif 000007
【図６】
2008133605.tif 000008
【図７】
2008133605.tif 000009